(57)【要約】【課題】ガタ付きなく支持状態が安定した調節ツマミによってスプールの制動力の調節が行える魚釣用リールを提供する。【解決手段】本発明の魚釣用リールは、リール本体１に回転自在に支持したスプール５ａに制動力を付与する制動装置２０と、リール本体１の側板２ａに回転自在に支持され、制動装置の制動力を増減調節する調節ツマミ５０とを有している。そして、調節ツマミ５０は、指で回転操作する操作部５２と、側板２ａに対して摺接可能な弾性部材６０を介在して支持されると共に、操作部５２より大径の環状部５７とを有する。【選択図】図３
2009089665.tif 000002
【特許請求の範囲】
【請求項１】
リール本体に回転自在に支持したスプールに制動力を付与する制動装置と、前記リール本体の側板に回転自在に支持され、前記制動装置の制動力を増減調節する調節ツマミとを有する魚釣用リールにおいて、
前記調節ツマミは、指で回転操作する操作部と、前記側板に対して摺接可能な弾性部材を介在して支持されると共に、前記操作部より大径の環状部と、を有することを特徴とする魚釣用リール。
【請求項２】
前記調節ツマミは、前記大径の環状部の径方向内側で前記リール本体の側板に支持される軸部を備えており、前記軸部の端部に、前記制動装置に連結する連結部と、前記側板に抜け止めされる係止部とを設けたことを特徴とする請求項１に記載の魚釣用リール。
【請求項３】
前記調節ツマミは、前記大径の環状部より大径で側板から露出する環状鍔部を有することを特徴とする請求項１又は２に記載の魚釣用リール。
【請求項４】
リール本体に回転自在に支持したスプールに制動力を付与する制動装置と、前記リール本体の側板に回転自在に支持され、前記制動装置の制動力を増減調節する調節ツマミとを有する魚釣用リールにおいて、
前記調節ツマミは、指で回転操作する操作部と、前記側板に対して回転自在に支持される軸部と、前記軸部の径方向外方で前記側板に回転自在に支持され、前記操作部より大径の環状部と、を有することを特徴とする魚釣用リール。
【発明の詳細な説明】
【技術分野】
【０００１】
本発明は、リール本体に回転自在に支持したスプールに制動力を付与する制動装置を備えた魚釣用リールに関する。
【背景技術】
【０００２】
従来、魚釣用リールでは、クラッチ機構の操作でスプールフリー状態に切換後、キャスティング操作によって釣糸（仕掛け）を所定のポイントへ放出する際、釣糸の引き出し速度よりスプールの回転速度が速くなる（過回転）と、バックラッシュ現象が生じて糸絡みや食い込み等の不具合が発生するため、このようなスプール過回転現象を自動的に防止するためのバックラッシュ防止装置（以下、制動装置とも称する）を装備することが行われている。
【０００３】
通常、バックラッシュ防止装置は、スプールの回転に制動力を付与する構成となっており、例えば、特許文献１や特許文献２に開示されているように、リール本体の側板の外部に設けられた調節ツマミを回転操作することでスプールに対する制動力を調節するようになっている。具体的に、前記調節ツマミは、ダイヤル状又は中央部に凸状部からなる操作部を外部に露出させており、操作部と一体形成される小径軸部をリール本体の側板に回転自在に支持している。
【特許文献１】実開昭５８−１４１３８２号
【特許文献２】実開昭６０−４１１６７号
【発明の開示】
【発明が解決しようとする課題】
【０００４】
上記した調節ツマミは、その小径軸部の軸方向内側端部に、制動装置に噛合連結して制動力を増減調節する歯車を取付け固定している。
【０００５】
このように、調節ツマミは、側板に対し、小径軸部及びその端部に固定された歯車を介して軸方向に抜け止め支持する構成のため、調節ツマミの側板に対するラジアル方向及びスラスト方向のガタ付きが発生し易くなってしまい、この結果、調節ツマミの支持状態が安定せず、しっくりとした状態で精密感のある制動力の調節操作が行えず、微調節性に劣るという問題がある。
【０００６】
本発明は、上記した問題に着目してなされたものであり、ガタ付きなく支持状態が安定した調節ツマミによってスプールの制動力の調節が行える魚釣用リールを提供することを目的とする。
【課題を解決するための手段】
【０００７】
上記した目的を達成するために、本発明に係る魚釣用リールは、リール本体に回転自在に支持したスプールに制動力を付与する制動装置と、前記リール本体の側板に回転自在に支持され、前記制動装置の制動力を増減調節する調節ツマミとを有しており、前記調節ツマミは、指で回転操作する操作部と、前記側板に対して摺接可能な弾性部材を介在して支持されると共に、前記操作部より大径の環状部と、を有することを特徴とする。
【０００８】
上記した構成によれば、調節ツマミは、指で回転操作される部分よりも大径の環状部でリール本体の側板に支持されることから、操作部を回転操作してもガタ付くことなく支持状態が安定する。また、大径の環状部には、側板との間に摺接可能な弾性部材が介在されているため、操作部を回転操作した際、しっくりとした状態で精密感のある制動力の調節操作が行え、微調節性が向上する。
【０００９】
また、上記した目的を達成するために、本発明に係る魚釣用リールは、リール本体に回転自在に支持したスプールに制動力を付与する制動装置と、前記リール本体の側板に回転自在に支持され、前記制動装置の制動力を増減調節する調節ツマミとを有しており、前記調節ツマミは、指で回転操作する操作部と、前記側板に対して回転自在に支持される軸部と、前記軸部の径方向外方で前記側板に回転自在に支持され、前記操作部より大径の環状部と、を有することを特徴とする。
【００１０】
上記した構成によれば、調節ツマミは、指で回転操作される部分よりも大径の環状部でリール本体の側板に支持されることから、操作部を回転操作してもガタ付くことなく支持状態が安定する。
【発明の効果】
【００１１】
本発明によれば、ガタ付きなく支持状態が安定した調節ツマミによってスプールの制動力の調節が行える魚釣用リールが得られる。
【発明を実施するための最良の形態】
【００１２】
以下、図面を参照しながら本発明に係る魚釣用リールの一実施形態について説明する。
【００１３】
図１は、本発明に係る魚釣用リールの第１の実施形態を示す図であり、内部構成を示した平面図、図２は、図１に示す魚釣用リールの側面図であり、調節ツマミの一部を切欠いて示す図、図３は、図１に示す調節ツマミの部分の拡大図、そして、図４は、図３に示す主要部の拡大図である。
【００１４】
本実施形態に係る魚釣用リール（両軸受型リール）は、左右側板２ａ，２ｂと、両側板２ａ，２ｂによって覆われた左右のフレーム３ａ，３ｂとを備えたリール本体１を有している。左右のフレーム３ａ，３ｂ間には、スプール軸５が軸受７を介して回転自在に支持されており、スプール軸５には、釣糸が巻回されるスプール５ａが一体的に固定されている。
【００１５】
右フレーム３ｂから突出するスプール軸５の端部には、スプール軸５の軸方向に沿って移動可能なピニオンギヤ８が取り付けられている。このピニオンギヤ８は、図示しない公知の切換手段によって、スプール軸５と係合してスプール軸５と一体に回転する係合位置（動力伝達状態）と、スプール軸５との係合状態が解除される非係合位置（動力遮断状態）との間で移動される。また、ピニオンギヤ８には、ハンドル軸９に支持された駆動歯車１０が噛合しており、ハンドル軸９の端部に装着されたハンドル９ａを回転操作すると、前記駆動歯車１０とピニオンギヤ８とを介して、スプール軸５が回転駆動され、それに伴ってスプール５ａが回転される。
【００１６】
なお、前記ハンドル軸９と駆動歯車１０との間には、公知のドラグ機構１２が設置されており、魚が掛かって釣糸が繰り出された場合等、スプール５ａに対して所望の制動力を付与できるようになっている。
【００１７】
また、本実施形態では、左側板側に、釣糸放出操作（主にキャスティング操作）の際にスプール５ａの過回転を防止する制動装置２０が配設されている。この制動装置２０は、磁石によってスプール５ａに対して制動力を付与する構成となっており、スプール軸５に対して軸方向に沿って移動可能で回り止め嵌合された移動体２１と、移動体２１の外周面に所定間隔をおいて径方向に移動可能に保持された遠心カラー２３とを有している。これらの遠心カラー２３は、スプール軸５（および移動体２１）がスプール５ａと共に回転した際に、遠心力によって径方向外側に移動するようになっている。
【００１８】
また、前記遠心カラー２３の左側板側の移動体２１には、環状の導電体２５が支持されている。この導電体２５は、前記移動体２１の移動に伴って、スプール軸５に対して軸方向に移動可能となっている。そして、前記スプール５ａの釣糸巻回面の裏面側には、左フレーム３ａ側に向けて次第に拡径するテーパ面５ｂが形成されている。このテーパ面５ｂは、前記遠心カラー２３が径方向外側に移動する際に、遠心カラー２３の外面に形成された傾斜面２３ａと面接触（係合）して、遠心カラー２３の移動を案内するようになっている。すなわち、移動体２１に支持された遠心カラー２３は、スプール軸５（スプール５ａ）の回転に伴う遠心力により、傾斜面２３ａとテーパ面５ｂとの係合作用によって径方向に移動すると共に、テーパ面５ｂに沿って案内され、これにより、環状の導電体２５が支持された移動体２１を、左フレーム３ａ側へと軸方向に移動させるようになっている。
【００１９】
また、スプール軸５の一端部に固定されたリテーナ２６と移動体２１との間には、移動体２１をスプール５ａ側方向に向けて常時付勢する（導電体２５を、後述する磁石の磁界から離れる方向に向けてスプール５ａ側へと常時付勢する）バネ部材２７が介挿されている。
【００２０】
さらに、前記制動装置２０は、リール本体を構成する左側板２ａ側に配設され、前記軸方向に移動可能な導電体２５との間で磁力を作用させる磁石３０を備えている。この磁石３０は、スプール５ａの回転に伴って軸方向に進退する前記導電体２５に対し、磁力を付与して導電体２５に対して制動力を付与する構成となっており、本実施形態では、環状に構成され前記導電体２５の内面側に所定間隔をおいて対向配設される内側磁石３１と、環状に構成され前記導電体２５の外面側に所定間隔をおいて配設される外側磁石３２とを備えている。これにより、前記導電体２５は、内側磁石３１、及び外側磁石３２の間の隙間に生じる磁界内に進退可能となっており、スプール５ａに磁気制動力を作用させる。
【００２１】
前記環状に構成される内側磁石３１は、ホルダ３３によって左フレーム３ａに固定されており、前記環状に構成される外側磁石３２は、ホルダ３４によって内側磁石３１に対して周方向に回転可能に保持されている。この結果、外側磁石３２が周方向に回転することで、内側磁石３１との間で磁極が変化し、両者の間に進退する導電体２５に作用する磁気制動力を調整することが可能となる。
【００２２】
上記したホルダ３４は、左側板２ａに回転自在に支持された調節ツマミ５０に連結されており、調節ツマミ５０を回転操作することでホルダ３４を回転させ、内側磁石３１に対する外側磁石３２の位置を変更（制動装置２０の制動力を増減調節）するように構成されている。具体的には、ホルダ３４には、外歯３４ａが形成されており、この外歯３４ａに調節ツマミ５０と一体回転する連結部（歯車）５１を噛合させることで、調節ツマミ５０の回転によりホルダ３４が回転するようになっている。
【００２３】
前記調節ツマミ５０は、指で回転操作可能となるように、左側板２ａから露出し軸方向外方に向けて突出する円筒状（円柱状）の操作部５２と、操作部５２の略中央領域で左フレーム側に向けて突出する軸部５３とを備えている。
【００２４】
前記軸部５３は、左側板２ａに対して回転可能となるように抜け止め支持されている。本実施形態では、左側板２ａには、凹所２ｃが形成されており、この部分に軸部５３を設置すると共に、軸部５３の端部に係止部５５を設け、凹所２ｃの底壁で軸部５３を抜け止め支持している。具体的には、軸部５３に軸方向に延出する貫通孔５５ａを形成しておき、この貫通孔５５ａに止めビス５５ｂを螺入することで、軸部５３（調節ツマミ５０）を左側板２ａに対して抜け止め支持している。
【００２５】
また、前記軸部５３の端部側には、前記ホルダ３４に形成された外歯３４ａと噛合するように連結部（歯車）５１が一体形成されている。この場合、連結部５１は、図３及び図４に示すように、軸部５３に一体形成されて凹所２ｃ内に位置しているが、軸部５３に対して別体の歯車を取着した構成であっても良い。
【００２６】
さらに、前記調節ツマミ５０は、操作部５２の軸方向の内側に、操作部５２の外径Ｄより大径となる環状部５７が一体形成されており、この環状部５７は、左側板２ａに形成された環状の開口２ｄに対して支持されている。この場合、環状の開口２ｄは、左側板２ａに直接形成されていても良いが、図に示すように、左側板２ａに、別体として固定されるカバー体２ｅに形成されていても良い。そして、このような別体として形成されるカバー体２ｅについては、例えば、アルミニウム合金、銅合金、ステンレス鋼等の金属を切削加工することで形成することが好ましい。
【００２７】
本実施形態における環状部５７の外周面には、円周溝５７ａが一体形成されており、この円周溝５７ａに、前記カバー体２ｅに形成された開口２ｄの内周面に対して摺接可能なリング状の弾性部材６０が介在されている。この弾性部材６０は、例えば、スチレン−ブタジエン−ゴム（ＳＢＲ）、アクリロニトリル−ブタジエン−ゴム、ブタジエン−ゴム、イソプレン−ゴム、クロロプレン−ゴム、シリコーン−ゴム、ウレタン−ゴム等の合成ゴム素材で形成されており、環状部５７を摺接支持して調節ツマミ５０をガタ付きなく支持させる機能を有する。なお、環状部５７は、左側板２ａに対して支持される部分の最小となっている部分（図に示す構成では、円周溝５７ａの底によって規定される）の径Ｄ１が、前記操作部５２の外径Ｄより大きくなっていれば良い（Ｄ１＞Ｄ）。
【００２８】
また、前記環状部５７の内面には、図２に示すように、円周方向に沿って連続的に凹凸５７ｂが形成されている。この凹凸５７ｂには、左側板２ａに固定された略環状のクリックバネ６２の凸部６２ａが係合しており、調節ツマミ５０を回転操作することで、その回転に抵抗力を付与して節度を持たせる（クリック音を発生させる）ようにしている。なお、このような調節ツマミに節度を持たせるクリック機構については、設置しない構成であっても良い。
【００２９】
また、本実施形態の調節ツマミ５０には、大径の環状部５７よりも大径で、左側板２ａから露出する環状鍔部６５が形成されている。この環状鍔部６５は、前記カバー体２ｅに形成される環状の凹所２ｆ内に設置されており、操作部５２の基端部において、径方向外方に延出し、その表面部に文字情報６５ａ（例えば、操作部の回転位置を示す目盛等）を付して、カバー体２ｅに形成した指標部２ｅ´に対向させることが可能となっている。また、このような環状鍔部６５を形成しておくことで、弾性部材６０による摺接部を保護することが可能となる。
【００３０】
上記した構成の魚釣用リールによれば、調節ツマミ５０は、指で回転操作される操作部５２よりも大径の環状部５７でリール本体の左側板２ａに支持されることから、操作部５２を回転操作してもガタ付くことなく支持状態が安定する。特に、調節ツマミ５０は、大径の環状部５７の径方向内側においても、小径の軸部５３によってリール本体の左側板２ａに支持されており、その軸部５３の端部に制動装置２０に連結する連結部５１と、左側板２ａに抜け止めされる係止部５５とを設けていることから、より安定した回転操作及び抜け止めが実現される。
【００３１】
また、上記した構成では、大径の環状部５７に円周溝５７ａを形成し、ここに左側板２ａとの間で摺接可能な弾性部材６０を介在したため、操作部５２を回転操作した際、しっくりとした状態で精密感のある制動力の調節操作が行え、微調節性が向上する。更には、外部からの衝撃が作用しても、誤作動し難くなる。
【００３２】
また、上述したように、大径の環状部５７が摺接する開口２ｄは、左側板２ａに別体として固定されるカバー体２ｅに形成されており、このカバー体を切削加工することによって摺接精度をより向上してしっくりした操作感覚を向上することが可能となる。
【００３３】
次に、本発明の別の実施形態について説明する。
【００３４】
図５は、本発明の第２の実施形態を示す図であり、調節ツマミ部分の拡大図である。この実施形態に示すように、上記した調節ツマミ５０の大径の環状部５７が装着される開口２ｄについては、左側板２ａに一体形成されていても良い。また、調節ツマミ５０の左側板に対する抜け止め支持の方法（係止部５５の構成）としては、軸部５３の端部に円周溝５３ｄを形成しておき、ここに止め輪５５ｄを装着する構成であっても良い。
【００３５】
このような構成によれば、部品点数が削減されると共に、調節ツマミ５０の装着が容易に行えるようになる。
【００３６】
図６は、本発明の第３の実施形態を示す図であり、調節ツマミ部分の拡大図である。この実施形態では、調節ツマミ５０は、操作部５２Ａと大径の環状部５７Ａとが別体として構成されており、操作部５２Ａを外部から止めビス８０を螺入することで大径の環状部５７Ａに装着するようにしている。操作部５２Ａには、大径の環状部５７Ａ及び弾性部材６０を覆うように、上述した第１の実施形態と同様、環状鍔部６５Ａが一体形成されている。
【００３７】
このような構成によれば、左側板を取り外すことなく、止めビス８０を取り外すだけの外部作業で弾性部材６０等の取換え作業が行えるようになり、メンテナンス性の向上が図れるようになる。
【００３８】
以上、本発明の実施形態について説明したが、本発明は、上記した実施形態に限定されることはなく、種々変形することが可能である。本発明は、スプール５ａに制動力を付与する制動装置２０の調節ツマミ部分に特徴があり、それ以外の構成、例えば、制動装置２０の具体的な構成については、適宜変形することが可能である。また、制動装置２０や調節ツマミ５０は、右側板２ｂ側に設置されたものであっても良く、調節ツマミ５０の設置領域についても適宜変形することが可能である。
【００３９】
また、調節ツマミ５０の操作部５２の形状や、側板に対する抜け止め支持方法についても、適宜変形することが可能である。
【図面の簡単な説明】
【００４０】
【図１】本発明に係る魚釣用リールの第１の実施形態を示す図であり、内部構成を示した平面図。
【図２】図１に示す魚釣用リールの側面図であり、調節ツマミの一部を切欠いて示す図。
【図３】図１に示す調節ツマミの部分の拡大図。
【図４】図３に示す主要部の拡大図。
【図５】本発明の第２の実施形態を示す図であり、調節ツマミ部分の拡大図。
【図６】本発明の第３の実施形態を示す図であり、調節ツマミ部分の拡大図。
【符号の説明】
【００４１】
１  リール本体
２ａ，２ｂ  左右側板
５  スプール軸
５ａ  スプール
２０  制動装置
５０  調節ツマミ
５１  連結部（歯車）
５２，５２Ａ  操作部
５３  軸部
５７，５７Ａ  大径の環状部
６０  弾性部材
６５，６５Ａ  環状鍔部
【図１】
2009089665.tif 000003
【図２】
2009089665.tif 000004
【図３】
2009089665.tif 000005
【図４】
2009089665.tif 000006
【図５】
2009089665.tif 000007
【図６】
2009089665.tif 000008